(57)【要約】【課題】電波を送出する電子機器において、自機が身体に近接していることを検出する技術を改善すること。【解決手段】電子機器（例えば、タブレット）１は、電波を送出するアンテナ部６１と、湿度を検出する湿度センサ１９と、湿度センサ１９と異なる第２センサ部と、第２センサ部の検出結果に基づき、自機が物体に近接していると推定した場合に、湿度センサ１９の検出結果に応じて、アンテナ部６１から送出する電波のエネルギー量の調整を実行するコントローラ１０とを備える。【選択図】図４
2017069651.tif 000002
【特許請求の範囲】
【請求項１】
電波を送出するアンテナ部と、
湿度を検出する第１センサ部と、
前記第１センサ部と異なる第２センサ部と、
前記第２センサ部の検出結果に基づき、自機が物体に近接していると推定した場合に、前記第１センサ部の検出結果に応じて、前記アンテナ部から送出する電波のエネルギー量の調整を実行するコントローラとを備える、電子機器。
【請求項２】
前記コントローラは、前記第１センサ部の検出結果に基づき前記自機が身体に近接しているかを判定し、当該判定結果に基づいて前記アンテナ部から送出する電波のエネルギー量の調整を実行する請求項１に記載の電子機器。
【請求項３】
前記コントローラは、
前記第１センサ部の検出する湿度において、所定の変化を検出すると前記アンテナ部から送出する電波のエネルギー量の調整を実行し、当該所定の変化を検出しないと前記電波のエネルギー量の調整を実行しない、請求項１または２に記載の電子機器。
【請求項４】
前記所定の変化を前記コントローラが検出するときに前記アンテナ部から送出する電波のエネルギー量は、前記所定の変化を前記コントローラが検出しないときに前記アンテナ部から送出する電波のエネルギー量より小さい請求項３に記載の電子機器。
【請求項５】
前記第２センサ部は、温度センサおよび近接センサの少なくとも１つを含む請求項１から４のいずれか１項に記載の電子機器。
【請求項６】
前記第２センサ部は、赤外線センサを含む請求項１から５のいずれか１項に記載の電子機器。
【請求項７】
前記第１センサ部および前記第２センサ部は、前記アンテナ部の近傍に位置する請求項１から６のいずれか１項に記載の電子機器。
【請求項８】
アンテナ部と、第１センサ部と、前記第１センサ部と異なる第２センサ部とを備える電子機器の制御方法であって、
前記アンテナ部によって電波を送出するステップと、
前記第１センサ部によって湿度を検出するステップと、
前記第２センサ部の検出結果に基づき、自機が物体に近接していると推定するとき、前記第１センサ部の検出結果に応じて、前記アンテナ部から送出する電波のエネルギー量の調整を実行するステップと
を含む制御方法。
【請求項９】
アンテナ部と、第１センサ部と、前記第１センサ部と異なる第２センサ部とを備える電子機器に、
前記アンテナ部によって電波を送出するステップと、
前記第１センサ部によって湿度を検出するステップと、
前記第２センサ部の検出結果に基づき、自機が物体に近接していると推定するとき、前記第１センサ部の検出結果に応じて、前記アンテナ部から送出する電波のエネルギー量の調整を実行するステップと
を実行させる制御プログラム。
【発明の詳細な説明】
【技術分野】
【０００１】
本出願は、電子機器、制御方法、及び制御プログラムに関する。
【背景技術】
【０００２】
移動通信装置がいつ身体に近接しているかを検出するセンサアセンブリと、移動通信装置による無線周波電磁エネルギーの放射を制御するためのコントローラを有し、当該コントローラは、センサアセンブリにより移動通信装置が身体に近接していることが検出されたとき、移動通信装置により放射される無線周波電磁エネルギーの平均パワー及び持続時間のうち少なくとも１つを低減する無線周波電磁エネルギー制御システムがあった（特許文献１参照）。
【先行技術文献】
【特許文献】
【０００３】
【特許文献１】特開２００３−２０９４８３号公報
【発明の概要】
【発明が解決しようとする課題】
【０００４】
従来の無線周波電磁エネルギー制御システムは、移動通信装置が身体に近接していることを検出する技術に改善の余地があった。
【課題を解決するための手段】
【０００５】
態様の１つに係る電子機器は、電波を送出するアンテナ部と、湿度を検出する第１センサ部と、前記第１センサ部と異なる第２センサ部と、前記第２センサ部の検出結果に基づき、自機が物体に近接していると推定した場合に、前記第１センサ部の検出結果に応じて、前記アンテナ部から送出する電波のエネルギー量の調整を実行するコントローラとを備える。
【０００６】
態様の１つに係る制御方法は、アンテナ部と、第１センサ部と、前記第１センサ部と異なる第２センサ部とを備える電子機器の制御方法であって、前記アンテナ部によって電波を送出するステップと、前記第１センサ部によって湿度を検出するステップと、前記第２センサ部の検出結果に基づき、自機が物体に近接していると推定するとき、前記第１センサ部の検出結果に応じて、前記アンテナ部から送出する電波のエネルギー量の調整を実行するステップとを含む。
【０００７】
態様の１つに係る制御プログラムは、アンテナ部と、第１センサ部と、前記第１センサ部と異なる第２センサ部とを備える電子機器に、前記アンテナ部によって電波を送出するステップと、前記第１センサ部によって湿度を検出するステップと、前記第２センサ部の検出結果に基づき、自機が物体に近接していると推定するとき、前記第１センサ部の検出結果に応じて、前記アンテナ部から送出する電波のエネルギー量の調整を実行するステップとを実行させる。
【図面の簡単な説明】
【０００８】
【図１】図１は、実施形態に係るタブレットの斜視図である。
【図２】図２は、タブレットの正面図である。
【図３】図３は、タブレットの背面図である。
【図４】図４は、タブレットのブロック図である。
【図５】図５は、タブレットを利用する第１状態の一例を示す図である。
【図６】図６は、タブレットを利用する第２状態の一例を示す図である。
【図７】図７は、タブレットが検出した湿度の変化の一例を示す図である。
【図８】図８は、タブレットによる身体の近接判定に関する制御の一例の処理手順を示すフローチャートである。
【図９】図９は、タブレットによる身体の近接判定に関する制御の他の一例の処理手順を示すフローチャートである。
【発明を実施するための形態】
【０００９】
本出願に係る電子機器、制御方法、及び制御プログラムを実施するための複数の実施形態を、図面を参照しつつ詳細に説明する。以下では、電子機器の例として、タブレットについて説明する。
【００１０】
図１から図３を参照しながら、実施形態に係るタブレット１の全体的な構成について説明する。図１から図３に示すように、タブレット１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１１】
タブレット１は、タッチスクリーンディスプレイ２と、照度センサ４と、カメラ１２とをフロントフェイス１Ａに有する。タブレット１は、カメラ１３をバックフェイス１Ｂに有する。タブレット１は、ボタン３Ａ〜３Ｃと、コネクタ１４とをサイドフェイス１Ｃに有する。以下では、ボタン３Ａ〜３Ｃを、どのボタンであるかを特定することなく、ボタン３と総称することがある。
【００１２】
タッチスクリーンディスプレイ２は、ディスプレイ２Ａと、タッチスクリーン２Ｂとを有する。図１の例では、ディスプレイ２Ａ及びタッチスクリーン２Ｂはそれぞれ略長方形状であるが、ディスプレイ２Ａ及びタッチスクリーン２Ｂの形状はこれに限定されない。ディスプレイ２Ａ及びタッチスクリーン２Ｂは、それぞれが正方形又は円形等のどのような形状もとりうる。図１の例では、ディスプレイ２Ａ及びタッチスクリーン２Ｂは重なって位置しているが、ディスプレイ２Ａ及びタッチスクリーン２Ｂの位置はこれに限定されない。ディスプレイ２Ａ及びタッチスクリーン２Ｂは、例えば、並んで位置してもよいし、離れて位置してもよい。図１の例では、ディスプレイ２Ａの長辺はタッチスクリーン２Ｂの長辺に沿っており、ディスプレイ２Ａの短辺はタッチスクリーン２Ｂの短辺に沿っているが、ディスプレイ２Ａ及びタッチスクリーン２Ｂの重ね方はこれに限定されない。ディスプレイ２Ａとタッチスクリーン２Ｂとが重なって位置する場合、例えば、ディスプレイ２Ａの１ないし複数の辺は、タッチスクリーン２Ｂのいずれの辺とも沿っていなくてもよい。
【００１３】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示する。
【００１４】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。以下の説明では、タッチスクリーン２Ｂに対して接触する指、ペン、又はスタイラスペン等を、「接触オブジェクト」又は「接触物」と呼ぶことがある。
【００１５】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者はタブレット１を操作するために指を用いてタッチスクリーン２Ｂに接触するものと想定する。
【００１６】
タブレット１は、タッチスクリーン２Ｂにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン２Ｂに対して行われる操作である。タブレット１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００１７】
タブレット１は、タッチスクリーン２Ｂを介して判別するこれらのジェスチャに従って動作を行う。このため、利用者にとって直感的で使いやすい操作性が実現される。判別されるジェスチャに従ってタブレット１が行う動作は、ディスプレイ２Ａに表示されている画面に応じて異なることがある。以下の説明では、説明を簡単にするために、「タッチスクリーン２Ｂが接触を検出し、検出された接触に基づいてジェスチャの種別をタブレット１がＸと判別すること」を、「タブレットがＸを検出する」、又は「コントローラがＸを検出する」と記載することがある。
【００１８】
図４は、タブレット１のブロック図である。タブレット１は、タッチスクリーンディスプレイ２と、ボタン３と、照度センサ４と、近接センサ５と、通信ユニット６と、スピーカ７と、マイク８と、ストレージ９と、コントローラ１０と、赤外線センサ１１と、カメラ１２及び１３と、コネクタ１４と、加速度センサ１５と、方位センサ１６と、ジャイロスコープ１７と、温度センサ１８と、湿度センサ１９とを有する。
【００１９】
タッチスクリーンディスプレイ２は、上述したように、ディスプレイ２Ａと、タッチスクリーン２Ｂとを有する。ディスプレイ２Ａは、文字、画像、記号、及び図形等を表示する。タッチスクリーン２Ｂは、接触を検出する。コントローラ１０は、タブレット１に対するジェスチャを検出する。具体的には、コントローラ１０は、タッチスクリーン２Ｂと協働することによって、タッチスクリーン２Ｂ（タッチスクリーンディスプレイ２）に対する操作（ジェスチャ）を検出する。
【００２０】
ボタン３は、利用者によって操作される。ボタン３は、ボタン３Ａ〜ボタン３Ｃを有する。コントローラ１０はボタン３と協働することによってボタン３に対する操作を検出する。ボタン３に対する操作は、例えば、クリック、ダブルクリック、トリプルクリック、プッシュ、及びマルチプッシュを含むが、これらに限定されない。
【００２１】
ボタン３Ａは、例えば、タブレット１のパワーオン／オフボタンである。ボタン３Ａは、スリープ／スリープ解除ボタンを兼ねてもよい。ボタン３Ｂ及び３Ｃは、例えば、音量ボタンである。
【００２２】
照度センサ４は、タブレット１の周囲光の照度を検出する。照度は、照度センサ４の測定面の単位面積に入射する光束の値である。照度センサ４は、例えば、ディスプレイ２Ａの輝度の調整に用いられる。近接センサ５は、近隣の物体の存在を非接触で検出する。近接センサ５は、磁界の変化又は超音波の反射波の帰還時間の変化等に基づいて物体の存在を検出する。近接センサ５は、例えば、タブレット１が物体に近付けられたことを検出する。照度センサ４及び近接センサ５は、一つのセンサとして構成されていてもよい。照度センサ４は、近接センサとして用いられてもよい。赤外線センサ１１は、受光した赤外線の変化に基づいて物体の存在を非接触で検出する。赤外線センサ１１は、例えば、タブレット１が物体に近接しているかの推定に用いられる。
【００２３】
通信ユニット６は、無線により通信できる。通信ユニット６によってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００（Ｗｉｄｅｂａｎｄ  Ｃｏｄｅ  Ｄｉｖｉｓｉｏｎ  Ｍｕｌｔｉｐｌｅ  Ａｃｃｅｓｓ  ２０００）、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等を含む。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等を含む。通信ユニット６は、上述した通信規格の１つ又は複数をサポートしていてもよい。
【００２４】
通信ユニット６は、アンテナ部６１を有する。アンテナ部６１は、電波を送出できる。図３に示す例では、アンテナ部６１は、タブレット１のハウジング２０内のサイドフェイス１Ｃ１の近傍に設けられている。通信ユニット６は、アンテナ部６１から送出する電波のエネルギー量を調整する機能を有する。通信ユニット６は、コントローラ１０からの要求に応じて、アンテナ部６１から送出する電波のエネルギー量を調整することができる。例えば、通信ユニット６は、増幅器を有する場合、増幅率を変化させることで、アンテナ部６１から送出する電波のエネルギー量を増減させてもよい。例えば、通信ユニット６は、アンテナ部６１から送出する電波のエネルギーのパワーを低減する、あるいは、アンテナ部６１から送出する電波の時間長を短くすることにより、電波のエネルギー量を低減させてもよい。
【００２５】
タブレット１は、照度センサ４、近接センサ５、赤外線センサ１１、加速度センサ１５、方位センサ１６、ジャイロスコープ１７、温度センサ１８及び湿度センサ１９を、ハウジング２０内に設けている。本実施形態では、タブレット１は、例えば、温度センサ１８及び湿度センサ１９をアンテナ部６１の近傍の位置に設けている。タブレット１は、温度センサ１８及び湿度センサ１９以外のセンサを、アンテナ部６１の近傍に設けてもよい。
【００２６】
スピーカ７は、音を出力する音出力部の１つの例である。スピーカ７は、コントローラ１０から送信される音信号を音として出力できる。スピーカ７は、例えば、通知音、アラーム音及び音楽を出力するために用いてもよい。マイク８は、音を入力する音入力部の１つの例である。マイク８は、利用者の音声等を音信号へ変換してコントローラ１０へ送信できる。
【００２７】
ストレージ９は、プログラム及びデータを記憶できる。ストレージ９は、コントローラ１０の処理結果を一時的に記憶する作業領域としても利用してもよい。ストレージ９は、記録媒体を含む。記録媒体は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２８】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂを介して検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００２９】
ストレージ９は、例えば、制御プログラム９Ａ、温度データ９Ｘ、湿度データ９Ｙ、及び設定データ９Ｚを記憶する。温度データ９Ｘは、タブレット１の周囲の温度を示す情報を含む。湿度データ９Ｙは、タブレット１の周囲の湿度を示す情報を含む。設定データ９Ｚは、タブレット１の動作に関する各種の設定に関する情報を含む。
【００３０】
制御プログラム９Ａは、タブレット１を稼働させるための各種制御に関する機能を提供してもよい。制御プログラム９Ａは、例えば、通信ユニット６等を制御することによって、通信を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。制御プログラム９Ａが提供する機能には、近接センサ５を制御することによって、物体の接近を推定する機能が含まれる。物体は、例えば、人体、物、自機を収容する収容物等を含む。制御プログラム９Ａが提供する機能は、他のプログラムが提供する機能と組み合わせて利用されることがある。
【００３１】
制御プログラム９Ａは、湿度センサ１９が検出した湿度に基づいて、タブレット１（自機）が身体に近接したことを判定する機能を提供してもよい。身体は、例えば、人体、動物の体等を含む。近接は、例えば、身体に接近していること、タブレット１が身体に接近したことを含む。近接は、例えば、タブレット１が身体に接触したことを含む。身体に近接したことの判定方法は、後述する。制御プログラム９Ａは、アンテナ部６１から送出する電波のエネルギー量の調整する機能を提供してもよい。
【００３２】
温度データ９Ｘには、温度情報を時系列的に記憶できる。温度情報は、例えば、時間と、温度の値と、温度の変化量といった項目を含む。時間は、温度センサ１８によって温度を検出した時間を示す。温度の値は、温度センサ１８によって検出した温度の値を示す。温度の変化量は、温度センサ１８によって検出した温度の単位時間当たりの変化量を示す。温度データ９Ｘは、温度センサ１８が温度を検出するごとに更新される。
【００３３】
湿度データ９Ｙには、湿度情報を時系列的に記憶できる。湿度情報は、例えば、時間と、湿度の値と、湿度の変化量といった項目を含む。時間は、湿度センサ１９によって湿度を検出した時間を示す。湿度の値は、湿度センサ１９によって検出した湿度の値を示す。湿度の変化量は、湿度センサ１９によって検出した湿度の単位時間当たりの変化量を示す。湿度データ９Ｙは、湿度センサ１９が湿度を検出するごとに更新される。
【００３４】
設定データ９Ｚは、自機が身体に近接していることを判定するための判定条件データを含む。判定条件データは、検出した湿度の変化が、身体への近接によるものかを判定するための条件を含む。例えば、判定条件は、身体への近接による所定時間当たりの湿度の変化を示す閾値、湿度の変化範囲等の条件とすることができる。判定条件は、例えば、利用者が自機を手で持った場合に湿度センサ１９によって湿度を測定した測定結果に基づいて設定することができる。
【００３５】
本実施形態では、判定条件データは、閾値を含む場合について説明するが、これに限定されない。例えば、判定条件データは、身体への近接による湿度の変化パターンを含んでもよい。
【００３６】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、及びコプロセッサを含むが、これらに限定されない。コントローラ１０は、タブレット１の動作を統括的に制御できる。コントローラ１０の各種機能は、コントローラ１０の制御に基づいて実現される。
【００３７】
具体的には、コントローラ１０は、ストレージ９に記憶されているプログラムに含まれる命令を実行できる。コントローラ１０は、ストレージ９に記憶されているデータを必要に応じて参照できる。コントローラ１０は、データ及び命令に応じて機能部を制御する。コントローラ１０は、機能部を制御することによって、各種機能を実現する。機能部は、例えば、ディスプレイ２Ａ、通信ユニット６、及びスピーカ７を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、赤外線センサ１１、カメラ１２、カメラ１３、加速度センサ１５、方位センサ１６、ジャイロスコープ１７、温度センサ１８、及び湿度センサ１９を含むが、これらに限定されない。
【００３８】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行してもよい。コントローラ１０は、例えば、制御プログラム９Ａを実行することにより、自機が物体に近接しているかを推定する処理を実現してもよい。コントローラ１０は、例えば、制御プログラム９Ａを実行することにより、自機が身体に近接しているかを判定する処理を実現してもよい。
【００３９】
カメラ１２及びカメラ１３は、撮影した画像を電気信号へ変換できる。カメラ１２は、フロントフェイス１Ａに面している物体を撮影するインカメラである。カメラ１３は、バックフェイス１Ｂに面している物体を撮影するアウトカメラである。
【００４０】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００４１】
加速度センサ１５は、タブレット１に働く加速度の方向及び大きさを検出できる。方位センサ１６は、地磁気の向きを検出できる。ジャイロスコープ１７は、タブレット１の角度及び角速度を検出できる。加速度センサ１５、方位センサ１６、及びジャイロスコープ１７の検出結果は、タブレット１の位置及び姿勢の変化を検出するために、組み合わせて利用してもよい。
【００４２】
温度センサ１８は、タブレット１の周囲の温度を検出できる。例えば、温度センサ１８は、サーミスタ等を含む。湿度センサ１９は、タブレット１の周囲の湿度を検出できる。例えば、湿度センサ１９は、電気抵抗式湿度センサ、静電容量式湿度センサ等を含む。例えば、温度センサ１８の検出結果は、タブレット１が物体に近付けられたことを検出するのに用いられる。
【００４３】
例えば、タブレット１は、近接センサ５、温度センサ１８及び湿度センサ１９がアンテナ部６１の近傍に設けられている。タブレット１は、湿度センサ１９をアンテナ部６１の近傍に設けることで、アンテナ部６１の近傍に身体が近接しているか否かを示す湿度の値を検出することができる。
【００４４】
例えば、タブレット１は、湿度センサ１９による湿度の検出結果に基づいて、自機に近接する物体が身体であるか否かを判定することができる。身体の近接によって湿度が変化するのに要する時間は、気候変動、空調調整設備等の影響で自機の周囲の湿度が変化するのに要する時間よりも短い。よって、タブレット１は、湿度センサ１９による湿度の検出結果を利用して、自機に近接する物体が身体であるか否かを判定することができる。
【００４５】
本実施形態では、タブレット１は、温度センサ１８及び湿度センサ１９を有する場合について説明するが、これに限定されない。例えば、タブレット１は、温度センサ１８及び湿度センサ１９を一体に構成してもよい。すなわち、タブレット１は、温湿度センサを有してもよい。
【００４６】
図４においてストレージ９が記憶するプログラム及びデータの一部又は全部は、通信ユニット６による無線通信で他の装置からダウンロードされてもよい。図４においてストレージ９が記憶するプログラム及びデータの一部又は全部は、ストレージ９に含まれる読み取り装置が読み取り可能な非一過的な記憶媒体に記憶されていてもよい。図４においてストレージ９が記憶するプログラム及びデータの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００４７】
図４に示したタブレット１の構成は一例であり、本発明の要旨を損なわない範囲において適宜変更してよい。例えば、ボタン３の数と種類は図１〜３の例に限定されない。タブレット１は、画面に関する操作のために、ボタンを備えてもよい。図４に示した例では、タブレット１が２つのカメラを備えるが、タブレット１は、１つのカメラのみを備えてもよいし、カメラを備えなくてもよい。図４に示した例では、タブレット１が位置及び姿勢を検出するために複数のセンサを備えるが、タブレット１は、このうちいくつかのセンサを備えなくてもよい。あるいは、タブレット１は、位置及び姿勢の少なくとも１つを検出するための他の種類のセンサを備えてもよい。
【００４８】
タブレット１による自機が身体に近接したことの判定方法の一例について説明する。図５は、タブレット１を利用する第１状態の一例を示す図である。図６は、タブレット１を利用する第２状態の一例を示す図である。
【００４９】
例えば、第１状態は、図５に示すように、利用者がタブレット１を机１００等の上に置いて、手Ｈで操作する状態を含む。すなわち、第１状態は、利用者の身体がタブレット１のアンテナ部６１の近傍に近接しない可能性が高い。タブレット１は、第１状態である場合、アンテナ部６１から送出する電波のエネルギー量を低減させなくてもよい可能性が高い。
【００５０】
例えば、第２状態は、図６に示すように、利用者がタブレット１を大腿部Ｔの上に置いて、手Ｈで操作する状態を含む。すなわち、第２状態は、利用者の身体がタブレット１のアンテナ部６１の近傍に近接する可能性が高い。タブレット１は、第２状態である場合、アンテナ部６１から送出する電波のエネルギー量を低減させることが好ましい。なお、第２状態は、例えば、利用者がタブレット１を両手または片手で持ちながら利用する状態を含んでもよい。
【００５１】
図７は、タブレット１が検出した湿度の変化の一例を示す図である。図７に示す一例は、第１状態及び第２状態ごとに、同じタイミングでタブレット１が検出した所定時間の検出結果を示している。
【００５２】
第１状態と、第２状態とでは、タブレット１が検出する湿度が異なる。湿度センサ１９をアンテナ部６１の近傍に備えるタブレット１は、自機が物体に近接していると推定している際の湿度の値に基づいて、アンテナ部６１の近傍に身体が近接しているかを判定することができる。タブレット１は、湿度の所定の変化を検出した場合に、自機が身体に近接していると判定することができる。図７に示す湿度の一例では、タブレット１は、第１状態である場合、湿度として約６０．９％を検出する。利用者は、第１状態から、タブレット１を大腿部Ｔの上へ移動させることで、利用状態を第２状態へ遷移させる。この場合、利用者の手Ｈ、大腿部Ｔは、アンテナ部６１（湿度センサ１９）の近傍に位置する。第１状態から第２状態へ遷移した場合、タブレット１が検出する湿度の値は大きくなるように変化する。図７に示す湿度の一例では、タブレット１は、第１状態から第２状態へ遷移した場合、湿度として約９５．０％を検出する。
【００５３】
タブレット１は、湿度の所定の変化を判定するための判定条件が予め設定されている。判定条件は、例えば、湿度の所定の変化に対応した所定時間当たりの変化量の閾値、範囲等を含む。湿度の所定の変化を判定するための判定条件は、気候変化、空気調整設備等による湿度の変化を排除するよう設定するとよい。ここで、身体の近接による湿度の時間当たりの上昇値は、気候変動、空調設備等の影響による湿度の時間当たりの上昇値より大きくなる傾向がある。そこで気候変化、空気調整設備等による湿度変化の影響を排除する判定条件は、単位期間当たりの湿度の変化量を用いることができる。例えば、タブレット１は、１分当たりに上昇する湿度の値の閾値を１５％／分と設定して、算出した時間当たりに上昇する湿度の値が１５％／分以上であると、アンテナ部６１の近傍に身体が近接していると判定すればよい。なお、単位期間当たりの湿度の変化量は、例示した判定条件に限定されず、気候変化、空気調整設備等による湿度変化の影響を排除するとの技術思想の範囲内で適宜変更できることは言うまでもない。
【００５４】
本実施形態では、タブレット１は、湿度の所定時間における所定の上昇を湿度の所定の変化とする場合について説明するが、これに限定されない。例えば、近接の判定条件は、ハウジング２０内におけるアンテナ部６１と湿度センサ１９との位置関係に基づいて設定することができる。例えば、自機の周囲の湿度が高い場合、タブレット１は、検出した湿度の値に基づいて、自機が身体に近接しているかを判定してもよい。具体的には、タブレット１は、湿度センサ１９の検出した湿度の値が、予め定められた閾値を超えた場合に、自機が身体に近接していると判定してもよい。
【００５５】
図８を参照しながら、タブレット１による身体の近接判定に関する制御の処理手順について説明する。図８は、タブレット１による身体の近接判定に関する制御の一例の処理手順を示すフローチャートである。図８に示す処理手順は、コントローラ１０が制御プログラム９Ａを実行することによって実現される。図８に示す処理手順は、コントローラ１０によって繰り返し実行される。
【００５６】
図８に示すように、タブレット１のコントローラ１０は、ステップＳ１０１として、近接センサ５及び温度センサ１８の検出結果を取得する。コントローラ１０は、ステップＳ１０２として、取得した検出結果に基づいて、自機が物体に近接しているかを推定する。例えば、コントローラ１０は、温度の所定の上昇及び物体までの所定距離の接近の少なくとも一方を検出した場合、自機が物体に近接していると推定する。例えば、コントローラ１０は、温度の所定の上昇及び物体までの所定距離の接近を検出しない場合、自機が物体に近接していないと推定する。
【００５７】
コントローラ１０は、物体が近接していると推定した場合（ステップＳ１０３，Ｙｅｓ）、処理をステップＳ１０４に進める。コントローラ１０は、この時点では、物体が身体である否かを特定できていない。コントローラ１０は、ステップＳ１０４として、湿度センサ１９が検出した湿度の値を取得する。例えば、コントローラ１０は、湿度データ９Ｙから最新の値と所定時間遡った値とを取得してもよい。例えば、コントローラ１０は、湿度データ９Ｙから最新から所定時間遡った範囲の湿度の値をしてもよい。例えば、コントローラ１０は、湿度センサ１９から検出した湿度の値を取得してもよい。
【００５８】
コントローラ１０は、ステップＳ１０５として、取得した所定時間における湿度の値から所定の変化を検出したか否かを判定する。例えば、コントローラ１０は、最新の湿度の値と所定時間前の湿度の値との差が判定条件の閾値を超えている場合に、湿度の値から所定の変化を検出したと判定してもよい。例えば、コントローラ１０は、所定時間の湿度の値の変化パターンが予め定められた変化パターンと一致する場合に、湿度の値から所定の変化を検出したと判定してもよい。変化パターンが一致するとは、一部または全部が一致する場合を含む。コントローラ１０は、所定時間当たりの湿度の変化量を算出し、算出した変化量が判定条件の閾値を超えている場合に、湿度の値から所定の変化を検出したと判定してもよい。
【００５９】
コントローラ１０は、湿度の値から所定の変化を検出したと判定した場合（ステップＳ１０５，Ｙｅｓ）、処理をステップＳ１０６に進める。コントローラ１０は、ステップＳ１０６として、アンテナ部６１から送出する電波のエネルギー量を小さくする処理を実行する。例えば、コントローラ１０は、電波のエネルギー量を小さくする要求を通信ユニット６に送信する。その結果、通信ユニット６は、アンテナ部６１から送出する電波のエネルギー量を、湿度の値から所定の変化をコントローラ１０が検出しないときにアンテナ部６１から送出する電波のエネルギー量よりも小さくすることができる。コントローラ１０は、電波のエネルギー量を小さくする処理の実行が終了すると、図８に示す処理手順を終了させる。
【００６０】
コントローラ１０は、湿度の値から所定の変化を検出していないと判定した場合（ステップＳ１０５，Ｎｏ）、電波のエネルギー量を小さくする処理を実行せずに、図８に示す処理手順を終了させる。
【００６１】
コントローラ１０は、物体が近接していないと推定した場合（ステップＳ１０３，Ｎｏ）、電波のエネルギー量を小さくする処理を実行せずに、図８に示す処理手順を終了させる。
【００６２】
タブレット１は、自機が物体に近接していると推定した場合、湿度に基づき身体に近接しているかを判定することができる。その結果、タブレット１は、自機が身体に近接したことの判定精度を向上させることができる。タブレット１は、自機が身体に近接していると判定すると、アンテナ部６１から送出する電波のエネルギー量を小さくすることができる。これにより、タブレット１は、身体がアンテナ部６１に近接している場合に、タブレット１の比吸収率（ＳＡＲ：Ｓｐｅｃｉｆｉｃ  Ａｂｓｏｒｐｔｉｏｎ  Ｒａｔｅ）を低減することができる。比吸収率は、人体が電波にさらされることによって単位質量の組織に単位時間に吸収されるエネルギー量である。
【００６３】
タブレット１は、身体がアンテナ部６１等に近接しない場合は、アンテナ部６１から送出する電波のエネルギー量を調整しない。その結果、タブレット１は、身体がアンテナ部６１に近接しない場合における利便性の低下を抑制することができる。
【００６４】
図８に示す処理手順では、タブレット１は、物体に近接しているかの推定に、近接センサ５及び温度センサ１８を用いる場合について説明したが、これに限定されない。例えば、タブレット１は、物体に近接しているかの推定に、近接センサ５、温度センサ１８、及び赤外線センサ１１のうち少なくとも１つを用いてもよい。例えば、タブレット１は、物体に近接しているかの推定に、近接センサ５、温度センサ１８、及び赤外線センサ１１のいくつかの検出結果を組み合わせて用いてもよい。
【００６５】
図８に示す処理手順では、タブレット１は、電波のエネルギー量を小さくする処理を実行した場合、所定のタイミングで電波のエネルギー量を元のエネルギー量に戻してもよい。所定のタイミングは、例えば、自機が身体から離れたと判定した場合、自機が利用されなくなったと判定した場合等を含む。例えば、タブレット１は、検出した湿度の値が所定の値まで低下した場合に、自機が身体から離れたと判定すればよい。
【００６６】
本出願の開示する実施形態は、発明の要旨及び範囲を逸脱しない範囲で変更することができる。さらに、本出願の開示する実施形態は、適宜組み合わせることができる。例えば、上記の実施形態は、以下のように変形してもよい。
【００６７】
例えば、図４に示した各プログラムは、複数のモジュールに分割されていてもよいし、他のプログラムと結合されていてもよい。
【００６８】
以下に実施形態の他の例に係るタブレット１について説明する。実施形態の他の一例に係るタブレット１は、制御プログラム９Ａの機能が異なる点を除いて、図１から図４に示したタブレット１と同様の構成を有する。そこで、以下では、タブレット１を一例として用いて、実施形態の他の一例について説明する。
【００６９】
図９は、タブレット１による身体の近接判定に関する制御の他の一例の処理手順を示すフローチャートである。図９に示す処理手順は、コントローラ１０が制御プログラム９Ａを実行することによって実現される。図９に示す処理手順は、コントローラ１０によって繰り返し実行される。
【００７０】
図９に示す例では、ステップＳ１０１からステップＳ１０５の処理は、図８に示すステップＳ１０１からステップＳ１０５の処理と同一であるため、異なる部分のみを説明し、同一部分の説明は省略する。
【００７１】
図９に示すように、タブレット１のコントローラ１０は、湿度の値から所定の変化を検出したと判定した場合（ステップＳ１０５，Ｙｅｓ）、処理をステップＳ１０６に進める。コントローラ１０は、ステップＳ１０６として、アンテナ部６１から送出する電波のエネルギー量を小さくする処理を実行する。例えば、コントローラ１０は、自機の待機時等の電波のエネルギー量よりも小さくする要求を通信ユニット６に送信する。その結果、通信ユニット６は、自機が身体に近接している場合、アンテナ部６１から送出する電波のエネルギー量を、自機の待機時等の電波のエネルギー量よりも小さくすることができる。コントローラ１０は、電波のエネルギー量を小さくする処理の実行が終了すると、図９に示す処理手順を終了させる。
【００７２】
コントローラ１０は、湿度の値から所定の変化を検出していないと判定した場合（ステップＳ１０５，Ｎｏ）、処理をステップＳ１０７に進める。コントローラ１０は、ステップＳ１０７として、アンテナ部６１から送出する電波のエネルギー量を大きくする処理を実行する。例えば、コントローラ１０は、自機の待機時等の電波のエネルギー量よりも大きくする要求を通信ユニット６に送信する。その結果、通信ユニット６は、自機が身体に近接せずに利用されている可能性が高い場合、アンテナ部６１から送出する電波のエネルギー量を、自機の待機時等の電波のエネルギー量よりも大きくすることができる。コントローラ１０は、電波のエネルギー量を大きくする処理の実行が終了すると、図９に示す処理手順を終了させる。
【００７３】
タブレット１は、自機が身体に近接していると判定すると、アンテナ部６１から送出する電波のエネルギー量を自機の待機時等の電波のエネルギー量よりも小さくすることができる。これにより、タブレット１は、身体がアンテナ部６１に近接している場合に、タブレット１の比吸収率を低減することができる。
【００７４】
タブレット１は、自機が物体に近接していると推定し、湿度の値から所定の変化を検出していない場合、身体が近づいていない第１状態で利用されている可能性が高いと判定できる。その結果、タブレット１は、自機が身体に近接していないので、アンテナ部６１から送出する電波のエネルギー量を自機の待機時等よりも大きくすることにより、通信の安定性を向上させることができる。
【００７５】
上記の実施形態では、タブレット１は、湿度センサ１９をアンテナ部６１の近傍に設ける場合について説明したが、これに限定されない。例えば、タブレット１は、湿度センサ１９をアンテナ部６１から離れた位置に設けてもよい。この場合、タブレット１は、湿度センサ１９が検出した湿度の値の変化に基づき、アンテナ部６１から離れた位置等に近接している物体が身体であるか否かを判定することができる。
【００７６】
上記の実施形態では、電子機器の例として、タブレット１について説明したが、添付の請求項に係る電子機器は、タブレット１に限定されない。添付の請求項に係る電子機器は、タブレット１以外の電子機器であってもよい。電子機器は、例えば、モバイルフォン、スマートフォン、スマートウォッチ、携帯型パソコン、ヘッドマウントディスプレイ、デジタルカメラ、メディアプレイヤ、電子書籍リーダ、ナビゲータ、及びゲーム機を含むが、これに限定されない。
【００７７】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【００７８】
１  タブレット
２  タッチスクリーンディスプレイ
２Ａ  ディスプレイ
２Ｂ  タッチスクリーン
３  ボタン
４  照度センサ
５  近接センサ
６  通信ユニット
７  スピーカ
８  マイク
９  ストレージ
９Ａ  制御プログラム
９Ｘ  温度データ
９Ｙ  湿度データ
９Ｚ  設定データ
１０  コントローラ
１１  赤外線センサ
１２、１３  カメラ
１４  コネクタ
１５  加速度センサ
１６  方位センサ
１７  ジャイロスコープ
１８  温度センサ
１９  湿度センサ
２０  ハウジング
【図１】
2017069651.tif 000003
【図２】
2017069651.tif 000004
【図３】
2017069651.tif 000005
【図４】
2017069651.tif 000006
【図５】
2017069651.tif 000007
【図６】
2017069651.tif 000008
【図７】
2017069651.tif 000009
【図８】
2017069651.tif 000010
【図９】
2017069651.tif 000011